(57)【要約】【課題】  明るさとコントラストのように関連する画像補正パラメータにおける画像処理を容易に行えるようにする。【解決手段】  ２次元平面座標における第１軸を画像補正パラメータとし、２次元平面座標における第２軸を前記第１軸とは異なる画像補正パラメータとして設定し、表示された２次元平面座標の原点の位置に画像補正を加えたい元画像の縮小画像を表示し、２次元平面座標上の指示された位置に応じて前記第１軸及び前記第２軸に割り当てられた各画像補正パラメータを算出して（ステップＳ３０５）、当該各画像補正パラメータに基づいて元画像を補正するようにする（ステップＳ３０７）。【選択図】  図３
2006106976.tif 000002
【特許請求の範囲】
【請求項１】
画像を表示する表示装置と、前記表示装置における表示上の位置を示す入力装置と、前記画像に対してパラメータを与えて当該画像を補正する画像補正手段とを有する画像処理装置であって、
前記表示装置は、第１軸及び第２軸を取る２次元平面座標を表示するものであり、
前記第１軸を画像補正パラメータとし、前記第２軸を前記第１軸とは異なる画像補正パラメータとして設定する設定手段と、
前記表示装置に表示された２次元平面座標の原点の位置に画像補正を加えたい元画像の縮小画像を表示する元画像表示手段と、
前記２次元平面座標上の指示された位置に応じて前記第１軸及び前記第２軸に割り当てられた各画像補正パラメータを算出し、当該各画像補正パラメータに基づいて前記元画像を補正する補正手段と
を備えることを特徴とする画像処理装置。
【請求項２】
前記第１軸及び前記第２軸は、明るさ、コントラスト、ガンマ値、シャープネス、色相、彩度、赤度、青度及び緑度のうち、少なくともいずれかの画像補正パラメータをとることを特徴とする請求項１に記載の画像処理装置。
【請求項３】
前記補正手段による前記元画像の補正処理の開始後においても、前記元画像の縮小画像が前記２次元平面座標の原点に配置されていることを特徴とする請求項１又は２に記載の画像処理装置。
【請求項４】
前記補正手段による前記元画像の補正処理の終了後、当該補正処理が施された補正画像を前記指示された位置に表示する補正画像表示手段を更に備えることを特徴とする請求項１〜３のいずれか１項に記載の画像処理装置。
【請求項５】
前記補正画像表示手段は、前記２次元平面座標上の指示を繰り返し行うことにより得られた複数の補正画像を前記２次元平面座標上に表示するものであり、
前記２次元平面上に配置された前記複数の補正画像のうち、選択された１つの補正画像から前記各画像補正パラメータを取得することを特徴とする請求項４に記載の画像処理装置。
【請求項６】
画像を表示する表示装置と、前記表示装置における表示上の位置を示す入力装置と、前記画像に対してパラメータを与えて当該画像を補正する画像補正手段とを有する画像処理装置であって、
前記表示装置は、直線状の１軸を画像補正パラメータとして表示するものであり、
前記表示装置に表示された前記直線状の１軸における原点の位置に画像補正を加えたい元画像の縮小画像を表示する元画像表示手段と、
前記直線状の１軸の指示された位置に応じて前記直線状の１軸に割り当てられた前記画像補正パラメータを算出し、当該画像補正パラメータに基づいて前記元画像を補正する補正手段と
を備えることを特徴とする画像処理装置。
【請求項７】
前記直線状の１軸は、明るさ、コントラスト、ガンマ値、シャープネス、色相、彩度、赤度、青度及び緑度のうち、少なくともいずれかの画像補正パラメータをとることを特徴とする請求項６に記載の画像処理装置。
【請求項８】
前記補正手段による前記元画像の補正処理の開始後においても、前記元画像の縮小画像が前記直線状の１軸の原点に配置されていることを特徴とする請求項６又は７に記載の画像処理装置。
【請求項９】
前記補正手段による前記元画像の補正処理の終了後、当該補正処理が施された補正画像を前記指示された位置に表示する補正画像表示手段を更に備えることを特徴とする請求項６〜８のいずれか１項に記載の画像処理装置。
【請求項１０】
前記補正画像表示手段は、前記直線状の１軸上の指示を繰り返し行うことにより得られた複数の補正画像を前記直線状の１軸上に表示するものであり、
前記直線状の１軸上に配置された前記複数の補正画像のうち、選択された１つの補正画像から前記画像補正パラメータを取得することを特徴とする請求項９に記載の画像処理装置。
【請求項１１】
画像を表示する表示装置と、前記表示装置における表示上の位置を示す入力装置と、前記画像に対してパラメータを与えて当該画像を補正する画像補正手段とを有する画像処理装置における画像処理方法であって、
前記表示装置は、第１軸及び第２軸を取る２次元平面座標を表示するものであり、
前記第１軸を画像補正パラメータとし、前記第２軸第２軸を前記第１軸とは異なる画像補正パラメータとしてを設定する設定ステップと、
前記表示装置に表示された２次元平面座標の原点の位置に画像補正を加えたい元画像の縮小画像を表示する元画像表示ステップと、
前記２次元平面座標上の指示された位置に応じて前記第１軸及び前記第２軸に割り当てられた各画像補正パラメータを算出し、当該各画像補正パラメータに基づいて前記元画像を補正する補正ステップと
を含むことを特徴とする画像処理方法。
【請求項１２】
画像を表示する表示装置と、前記表示装置における表示上の位置を示す入力装置と、前記画像に対してパラメータを与えて当該画像を補正する画像補正手段とを有する画像処理装置における画像処理方法をコンピュータに実行させるためのプログラムであって、
前記表示装置は、第１軸及び第２軸を取る２次元平面座標を表示するものであり、
前記第１軸を画像補正パラメータとし、前記第２軸第２軸を前記第１軸とは異なる画像補正パラメータとしてを設定する設定ステップと、
前記表示装置に表示された２次元平面座標の原点の位置に画像補正を加えたい元画像の縮小画像を表示する元画像表示ステップと、
前記２次元平面座標上の指示された位置に応じて前記第１軸及び前記第２軸に割り当てられた各画像補正パラメータを算出し、当該各画像補正パラメータに基づいて前記元画像を補正する補正ステップとを含む画像処理方法をコンピュータに実行させるためのプログラム。
【請求項１３】
請求項１２に記載されたプログラムを格納することを特徴とするコンピュータ読み取り可能な記憶媒体。
【発明の詳細な説明】
【技術分野】
【０００１】
本発明は、画像に対してパラメータを与えて当該画像を補正する処理を行う画像処理装置、画像処理方法、当該画像処理方法をコンピュータに実行させるためのプログラム及び当該プログラムを格納するコンピュータ読み取り可能な記憶媒体に関する。
【背景技術】
【０００２】
近年、デジタルカメラやイメージスキャナなどの普及により、写真などの画像をデジタルイメージとしてコンピュータで取り扱うことが一般化し、広く普及してきている。これに伴い、フォトレタッチと呼ばれるコンピュータ上で画像を補正することも広く普及してきた。画像の補正としては、明るさやコントラスト、ガンマ値の変更、シャープネス、赤や青の色かぶりの補正、ネガのごみ、瑕疵の修正などさまざまである。
【０００３】
明るさやコントラストの補正等の画像の補正では、パラメータを指示して補正を行うことができる。また、明るさの補正やコントラストの補正などに必要なパラメータを与える基本的な方法として、キーボードから数値を直接与える方法やスライダーなどのＧＵＩを操作して与える方法などがある。
【０００４】
パラメータをスライダーなどのＧＵＩで与える方法は、キーボードから数値で与える方法に比べて操作しやすく、目的とする画像補正パラメータをすばやく見つけ出すのに優れている。ただし、明るさとコントラストなどといった非常に関連が深い２つのパラメータを与える場合、スライダーが２つ必要になり、２つのスライダーを操作しながら目的とする画像補正パラメータを得るのは難しい。
【０００５】
これを回避する方法として、下記の特許文献１に示された方法がある。この方法は、横方向に明るさの異なる３種類の画像を並べ、縦方向にコントラストの異なる３種類を並べる。真中には補正前のオリジナルの画像が置かれ、計９つの異なる明るさと異なるコントラストの画像が並べられる。ユーザはそこから希望する画像を選ぶ。選ばれた画像は、９つの画像の真中に置かれ、周囲には再び異なる明るさと異なるコントラストの画像が並べられる。これを繰り返してユーザが希望する画像補正を得る。異なる明るさと異なるコントラストの増分は、別途数値で与えておく。この方法により、ユーザは直感的で操作しやすい画像補正が可能となっていた。
【０００６】
【特許文献１】特開２００３−１６４６７号公報
【発明の開示】
【発明が解決しようとする課題】
【０００７】
しかしながら、明るさとコントラストの組み合わせのように、関連の深い２つの画像補正を行うためのパラメータを同時に調整する必要がある場合、スライダーによるパラメータ指定では、２つのスライダーを用い、２つのスライダーを操作して、目的とする画像補正のパラメータを得ることは非常に困難である。
【０００８】
また、前述の特許文献１では、横軸を明るさ、縦軸にコントラストをとった２次元平面上に、真中にオリジナルの画像をその周辺に８つの明るさとコントラストの異なった画像を並べ、その中から目的とする画像補正された画像を選び、画像補正パラメータを設定するものであり、２つの異なるパラメータを同時に操作できて直感的で操作しやすいが、パラメータとしては飛び飛びの値しかとることができず、その刻み幅は別途設定しなければならない。
【０００９】
本発明は、上述の問題点に鑑みてなされたものであり、容易な手法で、画像の変化を確認しながら複数のパラメータを同時に変化させることを可能とするとともに、当該画像の変化をより細分化できるようにして、所望する画像の補正を実現することを目的とする。
【課題を解決するための手段】
【００１０】
本発明は前述の課題を解決することを目的としてなされたもので、画像を表示する表示装置と、前記表示装置における表示上の位置を示す入力装置と、前記画像に対してパラメータを与えて当該画像を補正する画像補正手段とを有する画像処理装置であって、前記表示装置は、第１軸及び第２軸を取る２次元平面座標を表示するものであり、前記第１軸を画像補正パラメータとし、前記第２軸を前記第１軸とは異なる画像補正パラメータとして設定する設定手段と、前記表示装置に表示された２次元平面座標の原点の位置に画像補正を加えたい元画像の縮小画像を表示する元画像表示手段と、前記２次元平面座標上の指示された位置に応じて前記第１軸及び前記第２軸に割り当てられた各画像補正パラメータを算出し、当該各画像補正パラメータに基づいて前記元画像を補正する補正手段とを備えることを特徴とする画像処理装置等を提供する。
【発明の効果】
【００１１】
本発明によれば、容易な手法で、画像の変化を確認しながら複数のパラメータを同時に変化させることが可能になるとともに、当該画像の変化をより細分化することが可能となる。これにより、補正に必要なパラメータを容易に設定することができるため、所望する画像の補正を実現することができるようになる。
【発明を実施するための最良の形態】
【００１２】
（第１の実施形態）
以下、本発明の第１の実施形態を添付図面を参照して説明する。なお、第１の実施形態は、本発明の請求項１及び２における画像処理装置に相当する。
【００１３】
図１は、本発明の第１の実施形態における画像処理装置の概略構成図である。
この画像処理装置は、当該画像処理装置の全体にわたる処理を行うためのＣＰＵ１０や、ＣＰＵ１０における処理等のソフトウエア、データを保持するＲＯＭ１０２を備えている。ここで、本実施形態では、ＣＰＵ１０における処理を実施するためのソフトウエアがＲＯＭ１０２に保持されているとしているが、フレキシブルディスクやメモリカードなど、本装置と着脱可能な記憶媒体によって提供されても良い。また、ソフトウエアのワークエリアとして、ＲＡＭ１０３がある。
【００１４】
ＣＰＵ１０における処理を実施するためのソフトウエアが本装置と着脱可能な記憶媒体によって提供される場合には、ＲＡＭ１０３上にソフトウエアを置いても良い。また、本実施形態では、補正を行う画像データは、メモリカード１０５に格納されている。また、メモリカード１０５は、メモリカードアダプタ１０４によってＣＰＵ１０１と接続されている。
【００１５】
また、本実施形態の画像処理装置では、ブラウン管のディスプレイ１０６とマウス１０７が接続されており、ディスプレイ１０６にはＧＵＩや画像、マウスカーソル等が表示される。このマウスカーソルは、マウス１０７の操作により移動することができ、ディスプレイ１０６上の一点を指し示すことができる。マウス１０７にはボタンが装備され、当該ボタンを操作することによりディスプレイ１０６上のＧＵＩをクリック、ドラッグ、ムーブなどにより操作することができる。
【００１６】
なお、本実施形態の画像処理装置では、ソフトウエアのＧＵＩ操作をブラウン管のディスプレイ１０６とマウス１０７によって行っているが、ブラウン管とライトペンでも代用できる。また、ディスプレイ１０６はビットマップ表示可能なものであれば、液晶ディスプレイでも可能である。また、マウス１０７の代わりに、表示画面上に貼り付けられた感圧式などのタッチパネルを構成し、当該タッチパネルを操作するようにしても良い。
【００１７】
図２は、本発明の第１の実施形態における画像処理装置のディスプレイ（表示装置）上に表示されるＧＵＩを示した概略図である。
図２の中央には、２次元平面の座標が取られている。横軸２０７には、明るさのパラメータがとられており、左に行くほど暗く、右に行くほど明るくなる。縦軸２０６には、コントラストのパラメータがとられており、下に行くほど弱く、上に行くほど強くなる。また、座標軸の原点には、補正したい画像が縮小された元画像２０５が配置されている。
【００１８】
元画像２０５をマウスカーソル２０４で指示してドラッグ動作を行うと、元画像２０５の複製であるコピー画像２０３が生じる。このコピー画像２０３は、マウスカーソル２０４の位置に応じて２次元座標上を移動する。その際、コピー画像２０３は、座標上におけるコピー画像２０３の位置に相当する明るさ及びコントラストに応じて補正される。つまり、２次元座標上で指示されたマウスのドラッグ位置に合わせて、その位置に応じた画像の明るさ及びコントラストが変化される。
【００１９】
そして、ユーザは、２次元座標上で指示されたマウスのドラッグ位置において、適切と思われる明るさ、コントラストのパラメータが適用された画像が得られた場合にマウスのドラッグを止める。ドラッグ動作を終了すると、コピー画像２０３は、２次元座標上のドラッグ終了地点に留まっている。このとき、設定ボタン２０１を押すことにより、元画像２０５に対して設定された明るさとコントラストのパラメータが適用され、画像補正が行われる。キャンセルボタン２０２が押された場合は、画像補正は実行されずに終了する。
【００２０】
図３は、本発明の第１の実施形態における画像処理装置の処理を示したフローチャートである。
まず、ステップＳ３０１では、ＧＵＩにおけるイベントのキューを見る。続いて、ステップＳ３０２では、当該イベントがドラッグ開始であるか否かを判断する。この判断の結果、イベントがドラッグ開始であると判断された場合には、ステップＳ３０３に進む。一方、ステップＳ３０２での判断の結果、イベントがドラッグ開始でないと判断された場合には、ステップＳ３０４に進む。
【００２１】
ステップＳ３０３では、縮小元画像と同じイメージを持つ縮小コピー画像を作成する。続いて、ステップＳ３０４では、イベントがドラッグであるか否かを判断する。この判断の結果、イベントがドラッグであると判断された場合には、ステップＳ３０５に進む。一方、ステップＳ３０４での判断の結果、イベントがドラッグでないと判断された場合には、ステップＳ３０６に進む。
【００２２】
ステップＳ３０５では、縮小コピー画像が移動した位置の横軸と縦軸の座標から明るさとコントラストを計算し、明るさとコントラストを設定する。そして、縮小コピー画像に明るさとコントラストを適応し、補正を行い再表示する。
【００２３】
続いて、ステップＳ３０６では、設定ボタンが押されたか否かを判断する。この判断の結果、設定ボタンが押されたと判断された場合には、ステップＳ３０７に進む。一方、ステップＳ３０６の判断の結果、設定ボタンが押されていないと判断された場合には、ステップＳ３０８に進む。
【００２４】
ステップＳ３０７では、設定されている明るさ及びコントラストを用いて、元画像２０５を補正する。その後、処理を終了する。
【００２５】
また、ステップＳ３０８では、キャンセルボタンが押されたか否かを判断する。この判断の結果、キャンセルボタンが押されていないと判断された場合には、ステップＳ３０１に戻る。一方、ステップＳ３０８の判断の結果、キャンセルボタンが押されたと判断された場合には、元画像２０５に何も行わずに処理を終了する。
【００２６】
（第２の実施形態）
以下、本発明の第２の実施形態を添付図面を参照して説明する。なお、第２の実施形態は、本発明の請求項３〜５における画像処理装置に相当する。ここで、第２の実施形態における画像処理装置の概略構成は、図１の第１の実施形態における画像処理装置のものと同様であるため、説明は省略する。
【００２７】
図４は、本発明の第２の実施形態における画像処理装置のディスプレイ（表示装置）上に表示されるＧＵＩを示した概略図である。
図２に示した第１の実施形態における画像処理装置におけるＧＵＩと同様に、第２の実施形態におけるＧＵＩも中央に２次元平面の座標が取られている。横軸４０７には、明るさのパラメータがとられており、左に行くほど暗く、右に行くほど明るくなる。縦軸４０６には、コントラストのパラメータがとられており、下に行くほど弱く、上に行くほど強くなる。また、座標軸の原点には、補正したい画像が縮小された元画像４０５が配置されている。
【００２８】
元画像４０５をマウスカーソル４０４で指示してドラッグ動作を行うと、元画像４０５の複製であるコピー画像４０３が生じる。このコピー画像４０３は、マウスカーソル４０４の位置に応じて２次元座標上を移動する。その際、コピー画像４０３は、座標上におけるコピー画像４０３の位置に相当する明るさ及びコントラストに応じて補正される。つまり、２次元座標上で指示されたマウスのドラッグ位置に合わせて、その位置に応じた画像の明るさ及びコントラストが変化される。
【００２９】
第２の実施形態では、まず、原点にある縮小元画像４０５をドラッグし、そして、縮小コピー画像４０３を２次元座標上の任意の位置に配置した後に、再び原点にある縮小元画像４０５をドラッグ操作すると、すでに配置された縮小コピー画像４０３はそのままで、別の縮小コピー画像（例えば、４０８〜４１０）をドラッグして２次元座標上の任意の位置に配置することができる。原点にある縮小元画像４０５に対してドラッグ操作を複数回行うことによって、画像補正が行われた複数の縮小コピー画像（４０３、４０８〜４１０）を２次元平面上に配置することができる。
【００３０】
２次元座標上に配置された縮小コピー画像（４０３、４０８〜４１０）の中から１つをクリックして選択し、設定ボタン４０１を押すことにより、選択された縮小コピー画像に適用された明るさとコントラストのパラメータを元画像４０５に適用し、補正を行ことができる。一方、キャンセルボタン４０２が押された場合は、元画像４０５の画像補正を行わずに処理を終了する。
【００３１】
これによって、コントラストや明るさの異なる複数の縮小コピー画像を同時に見比べることができ、最適なコントラストと明るさのパラメータの組み合わせを容易に見つけ出すことができる。
【００３２】
（第３の実施形態）
以下、本発明の第３の実施形態を添付図面を参照して説明する。ここで、第３の実施形態における画像処理装置の概略構成は、図１の第１の実施形態における画像処理装置のものと同様であるため、説明は省略する。
【００３３】
図５は、本発明の第３の実施形態における画像処理装置のディスプレイ（表示装置）上に表示されるＧＵＩを示した概略図である。
図５に示したように、第３の実施形態におけるＧＵＩは、第１の実施形態におけるＧＵＩと異なり、２次元平面の縦軸には青度のパラメータ、横軸には赤度のパラメータを対応させている。これを操作することにより、写真などの赤かぶり、青かぶりと言った現象を容易に補正することができる。また、２次元座標の各軸にはこの他、ガンマ値、シャープネス、色相、彩度などを適用しても良い。
【００３４】
（第４の実施形態）
以下、本発明の第４の実施形態を添付図面を参照して説明する。なお、第４の実施形態は、本発明の請求項６〜１０における画像処理装置に相当する。ここで、第４の実施形態における画像処理装置の概略構成は、図１の第１の実施形態における画像処理装置のものと同様であるため、説明は省略する。
【００３５】
図６は、本発明の第４の実施形態における画像処理装置のディスプレイ（表示装置）上に表示されるＧＵＩを示した概略図である。
図６に示したように、第４の実施形態におけるＧＵＩは、第１〜第３の実施形態におけるＧＵＩと異なり、中央に１次元直線軸が取られている。１次元直線軸である横軸６０６には、シャープネスのパラメータがとられており、左に行くほどボケており、右に行くほど鮮明になる。ここでは、シャープネスを取り上げたが、ガンマ値、シャープネス、色相、彩度などを適用しても良い。また、軸の原点には補正したい画像が縮小された元画像６０５が配置されている。
【００３６】
元画像６０５をマウスカーソル６０４で指示してドラッグ動作を行うと、元画像６０５の複製であるコピー画像６０３が生じる。このコピー画像６０３は、マウスカーソル６０４の位置に応じて直線軸上を移動する。その際、コピー画像６０３は、座標上におけるコピー画像６０３の位置に相当するシャープネスに応じて補正される。つまり、直線軸上で指示されたマウスのドラッグ位置に合わせて、その位置に応じてシャープネスが変化される。
【００３７】
第４の実施形態では、まず、原点にある縮小元画像６０５をドラッグし、縮小コピー画像６０３を直線軸上の任意の位置に配置した後に、再び原点にある縮小元画像６０５をドラッグ操作すると、すでに配置された縮小コピー画像６０３はそのままで、別の縮小コピー画像６０７をドラッグして直線軸上の任意の位置に配置することができる。原点にある縮小元画像６０５に対してドラッグ操作を複数回行うことによって、画像補正が行われた複数の縮小コピー画像（６０３、６０７）を直線軸上に配置することができる。
【００３８】
配置された縮小コピー画像（６０３、６０７）の中から１つをクリックして選択し、設定ボタン６０１を押すことにより、選択された縮小コピー画像に適用された明るさとコントラストのパラメータを元画像６０５に適用して補正を行うことができる。また、キャンセルボタン６０２が押された場合は、元画像６０５の画像補正を行わずに処理を終了する。
【００３９】
これによって、シャープネスの異なる複数の縮小コピー画像を同時に見比べることができ、最適なシャープネスのパラメータを容易に見つけ出すことができる。
【図面の簡単な説明】
【００４０】
【図１】本発明の第１の実施形態における画像処理装置の概略構成図である。
【図２】本発明の第１の実施形態における画像処理装置のディスプレイ（表示装置）上に表示されるＧＵＩを示した概略図である。
【図３】本発明の第１の実施形態における画像処理装置の処理を示したフローチャートである。
【図４】本発明の第２の実施形態における画像処理装置のディスプレイ（表示装置）上に表示されるＧＵＩを示した概略図である。
【図５】本発明の第３の実施形態における画像処理装置のディスプレイ（表示装置）上に表示されるＧＵＩを示した概略図である。
【図６】本発明の第４の実施形態における画像処理装置のディスプレイ（表示装置）上に表示されるＧＵＩを示した概略図である。
【符号の説明】
【００４１】
１０１  ＣＰＵ
１０２  ＲＯＭ
１０３  ＲＡＭ
１０４  メモリカードアダプタ
１０５  メモリカード
１０６  ディスプレイ
１０７  マウス
２０１、４０１、５０１  設定ボタン
２０２、２０２、５０２  キャンセルボタン
２０３、４０３、４０８〜４１０、５０３  縮小コピー画像
２０４、４０４、５０４  マウスカーソル
２０５、４０５、５０５  縮小元画像
２０６、４０６  縦軸（コントラスト）
２０７、４０７  横軸（明るさ）
５０６  縦軸（青）
５０７  横軸（赤）
【図１】
2006106976.tif 000003
【図２】
2006106976.tif 000004
【図３】
2006106976.tif 000005
【図４】
2006106976.tif 000006
【図５】
2006106976.tif 000007
【図６】
2006106976.tif 000008